(57)【特許請求の範囲】
【請求項１】
インバータ装置の筐体を被取付け側に対して取付けるためのインバータ装置用の取付機構であって、
前記筐体の壁面に互いに重ねて配置され、前記被取付け側に対して固定具により固定される複数の取付部材と、
前記筐体の壁面のうち前記複数の取付部材が重ねて配置される壁面にて、当該複数の取付部材を一の中心軸線の周りに回動可能に支持する回動支持手段と、
前記複数の取付部材の夫々に設けられ、前記回動支持手段との係合によって当該取付部材を所定のスライド方向へガイドするガイド手段とを備え、
前記複数の取付部材は、前記回動支持手段の周りの回動方向と前記スライド方向とに移動されることにより、当該複数の取付部材が重ねて配置される壁面側における一平面内での位置調整が可能に構成されていることを特徴とする取付機構。
【請求項２】
インバータ装置の筐体を被取付け側に対して取付けるためのインバータ装置用の取付機構であって、
前記筐体の壁面に配置され、前記被取付け側に対して固定具により固定される複数の取付部材と、
前記筐体の壁面のうちの前記複数の取付部材が配置される壁面にて、当該複数の取付部材を回動可能に支持する回動支持手段と、
前記複数の取付部材の夫々に設けられ、前記回動支持手段との係合によって当該取付部材を所定のスライド方向へガイドするガイド手段とを備え、
前記回動支持手段を、前記筐体において前記複数の取付部材が配置される壁面側の中央部に設け、当該複数の取付部材の夫々の端部に、前記固定具用の取付け穴を形成した構成にあって、
前記複数の取付部材は、前記回動支持手段の周りの回動方向と前記スライド方向とに移動されることにより、当該複数の取付部材が配置される壁面側における一平面内での位置調整が可能に構成されていることを特徴とする取付機構。
【請求項３】
インバータ装置の筐体を被取付け側に対して取付けるためのインバータ装置用の取付機構であって、
前記筐体の壁面に配置され、前記被取付け側に対して固定具により固定される複数の取付部材と、
前記筐体の壁面のうちの前記複数の取付部材が配置される壁面にて、当該複数の取付部材を回動可能に支持する回動支持手段と、
前記複数の取付部材の夫々に設けられ、前記回動支持手段との係合によって当該取付部材を所定のスライド方向へガイドするガイド手段とを備え、
前記複数の取付部材は、前記回動支持手段の周りの回動方向と前記スライド方向とに移動されることにより、当該複数の取付部材が配置される壁面側における一平面内での位置調整が可能な構成にあって、
前記回動支持手段は、軸部とその外周に位置するピニオンとを備え、
前記複数の取付部材は、前記ピニオンに噛合する第１ラックを有する第１取付部材と前記ピニオンに噛合する第２ラックを有する第２取付部材とからなる一対の取付部材を備え、
前記一対の取付部材は、前記第１ラックと前記第２ラックとが前記ピニオンを挟んで互いに対向するように配置されることで、前記第１取付部材の動きを、前記ピニオンを介して反対方向の動きとして前記第２取付部材に伝達することを特徴とする取付機構。
【請求項４】
前記一対の取付部材は、何れも板状をなし、
前記ガイド手段は、前記第１取付部材に形成された第１ガイド溝と前記第２取付部材に形成された第２ガイド溝とを有し、前記第１ガイド溝に沿って前記第１ラックが形成されると共に前記第２ガイド溝に沿って前記第２ラックが形成されていることを特徴とする請求項３記載の取付機構。
【請求項５】
請求項１から４までの何れか一項に記載の取付機構を備えたことを特徴とするインバータ装置。
【発明の詳細な説明】
【技術分野】
【０００１】
本実施形態は、インバータ装置及び取付機構に関する。
【背景技術】
【０００２】
従来より、例えば工場における設備の改修に伴い、誘導電動機等を可変速駆動するためのインバータ装置を新しいものに取換えることがある。図７は、この取換え時の様子を説明するためのもので、旧型のインバータ装置１と新型のインバータ装置２とを対比して示している。同図に示すように、新型のインバータ装置２は、旧型のインバータ装置１に比し小型化（所謂ダウンサイジング）が図られている。
【０００３】
従って、例えば制御盤の壁面５に対し、旧型のインバータ装置１に代えて新型のインバータ装置２を取付ける場合、当該壁面５におけるインバータ装置２の占有領域５Ｓを従前より小さくすることができる。即ち、図７の左側の四角で囲う領域５Ｌ及び５Ｓは、旧型のインバータ装置１の取付け面１ａ及び新型のインバータ装置２の取付け面２ａに夫々対向する被取付け面を示している。新型のインバータ装置２は、領域５Ｓの隅部に位置する螺子穴４ｂ、４ｂに、固定螺子４ａが夫々螺挿されることにより固定される（固定螺子を用いたインバータ装置の取付け構造につき特許文献１参照）。
【先行技術文献】
【特許文献】
【０００４】
【特許文献１】特開平８−３２２４７号公報
【発明の概要】
【発明が解決しようとする課題】
【０００５】
ところが、上記のように旧型のインバータ装置１を新型のものに取換える際、新型のインバータ装置２の外形寸法に対応させて、壁面５に螺子穴４ｂを追加的に複数形成しなければならず、面倒である。
【０００６】
また、この取換えに際して、例えば前記壁面５の構造上、或は周辺機器等との関係で、その取付領域５Ｓに螺子穴４ｂを形成できない事態も生じうる。尚、図示は省略するが、このような場合には、壁面５とは別部材のベース板に前記螺子穴４ｂを形成して新型のインバータ装置２を取付け、そのベース板を、旧型で用いられた螺子穴３ｂを利用して壁面５に設置することとなる。つまり、インバータ装置１を新型に取換える場合、螺子穴４ｂを新たに加工したり、別部材としてのベース板を用意する必要がある等、依然として手間と時間がかかるのである。
【０００７】
そこで、インバータ装置の取付け作業の簡単化を図ることができ、特に旧型インバータ装置の新型への取換えを容易に行うことができるインバータ装置及び取付機構を提供する。
【課題を解決するための手段】
【０００８】
本実施形態の取付機構は、インバータ装置の筐体を被取付け側に対して取付けるためのものであり、前記筐体の壁面に配置され、前記被取付け側に対して固定具により固定される複数の取付部材を備える。前記複数の取付部材は、回動支持手段によって前記筐体の壁面のうちの当該複数の取付部材が配置される壁面にて回動可能に支持される。前記複数の取付部材の夫々に、前記回動支持手段との係合によって当該取付部材を所定のスライド方向へガイドするガイド手段が設けられる。前記回動支持手段は、前記筐体において前記複数の取付部材が配置される壁面の中央部に設け、当該複数の取付部材の夫々の端部に、前記固定具用の取付け穴を形成した構成にある。前記複数の取付部材は、前記回動支持手段の周りの回動方向と前記スライド方向とに移動されることにより、当該複数の取付部材が配置される壁面側における一平面内での位置調整が可能に構成されている。
【図面の簡単な説明】
【０００９】
【図１】第１実施形態の取付機構についてインバータ装置と共に示す正面図
【図２】インバータ装置の後方側から見た取付機構の分解斜視図
【図３】取付機構の前方側からの分解斜視図
【図４】取付機構の斜視図
【図５】取付機構における取付部材の位置調整を説明するための斜視図
【図６】第２実施形態を示す図２相当図
【図７】従来における一般的なインバータ装置の取換え時の様子を説明するための図
【発明を実施するための形態】
【００１０】
＜第１実施形態＞
以下、本実施形態について図１から図５を参照して説明する。
インバータ装置１０は図１中、上下両側部に、図示しない交流電源装置に接続される入力端子、並びに負荷（例えば図示しない誘導電動機）に接続される出力端子として、端子部１１，１２を備える。また、図示は省略するが、インバータ装置１０は、例えばＭＯＳＦＥＴやＩＧＢＴ等のスイッチング素子を３相ブリッジ接続して構成されるインバータ主回路、当該インバータ主回路を制御する制御部、その制御プログラムが格納された記憶手段等を備えている。こうして、インバータ装置１０は、前記交流電源装置から電源が与えられ、制御プログラムに基づきインバータ主回路が制御されることにより、誘導電動機を駆動するようになっている。尚、インバータ装置１０は、端子部１１，１２とは別に、図示しない外部装置（マスターコンピュータ等の外部の制御手段）に接続するための入出力端子を備えており、その外部装置との間で制御信号、データ信号、シリアル通信信号などの送受信が可能に構成されている。
【００１１】
図１、図２に示すように、インバータ装置１０の筐体１３は例えば合成樹脂材料からなり、略矩形箱状をなす筐体本体１４と、この本体１４の手前側たる前面側に配設され、当該本体１４に比し小さな矩形箱状をなす操作部１５とを備える。
【００１２】
筐体本体１４内には、前記インバータ主回路など各種の電子部品等が収容されると共に、それらを冷却するための空冷装置（図２の冷却ファン１６参照）が収容されている。また、空冷手段として、筐体本体１４の周壁には多数の放熱孔１７ａが形成されている。詳しい図示は省略するが、操作部１５は、操作パネル部として前記制御部に接続され、運転開始・停止等を入力するための各操作キーや、運転周波数等の各種パラメータを設定するためのボリューム１５ａ（図１参照）、表示部等を備えている。この表示部は、現在の運転状態、運転周波数指令値、電圧、電流、入出力端子状態、トリップ履歴などを表示可能となっている。
【００１３】
さて、筐体本体１４の取付け面１４ａ側には取付機構２０が設けられており、インバータ装置１０は、当該取付機構２０を介して被取付け側の壁面（例えば図５に示す制御盤の壁面９）に取付けられる。このインバータ装置１０において前記壁面９に対向する取付け面１４ａ側の構成と、取付機構２０について、図３〜図５も参照しながら詳述する。
【００１４】
筐体本体１４の取付け面１４ａには、略中央部に位置して図２に示すような筒状部１８が一体に設けられている。筒状部１８は軸部として、後方へ突出するように形成されており、その内周部には、雌螺子部１８ａが形成されている。また、筐体本体１４の取付け面１４ａには、右上寄り及び左下寄りの部位に夫々螺子穴１９が形成されている。尚、図１に示すように、筐体本体１４において例えば左上の隅部及び右下の隅部は、夫々のコーナー部を正面視にて扇状に切欠くようして形成された窪み部１４ｂ，１４ｃとされている。
【００１５】
一方、取付機構２０は、筐体本体１４の取付け面１４ａ側（図２中、下側）に配置される第１取付部材２１及び第２取付部材２２と、取付け面１４ａに対してこれら取付部材２１，２２を後方から挟むように配置される保持部材２３とを備える。
【００１６】
保持部材２３は、例えば合成樹脂材料からなり、円板部２５と、この円板部２５の縁部に一体に形成された径方向外側に張出す一対の張出部２６，２７を有する。円板部２５の中央部には、筐体本体１４の筒状部１８の外周面に嵌合する筒状部２５ａが軸部として一体に形成され、一対の張出部２６，２７には、筐体本体１４の一対の螺子穴１９，１９に対応する貫通穴部２６ａ，２７ａが形成されている。そして、筒状部２５ａに後述する締結螺子３０が挿通されて筐体本体１４の雌螺子部１８ａに螺挿されると共に、貫通穴部２６ａ，２７ａに夫々挿通された螺子２８，２８が螺子穴１９，１９に螺挿されることにより、保持部材２３が筐体本体１４の取付け面１４ａに取付け固定されている。保持部材２３は、この取付け面１４ａへの取付け状態で、円板部２５において第１取付部材２１及び第２取付部材２２の基端側をスライド可能に収容すべく、張出部２６，２７に対して段落ちした収容凹部２３ａが形成されている。
【００１７】
詳細には、図３に示すように、円板部２５の中央部には、前面側に凸となる中央受け部２５ｂが形成されると共に、円板部２５の外周部には、前面側へ突出したリブ状の外周受け部２５ｃが形成されている。これら受け部２５ｂ、２５ｃによって、保持部材２３の前面側（前記収容凹部２３ａ）で、第１取付部材２１及び第２取付部材２２が互いに重ねられた状態で当該取付部材２１，２２が摺接するように保持される。また、図２に示すように、保持部材２３の後面側が面一となるよう、中央受け部２５ｂは締結螺子３０の頭部３０ａを収容し、貫通穴部２６ａ，２７ａは螺子２８，２８の頭部２８ａ，２８ａを収容する凹状に形成されている。締結螺子３０の頭部３０ａは、一般的な螺子の頭部よりも径大な寸法に形成されると共に、図示しない工具の回転操作に供される工具用溝３０ｂを有する。
【００１８】
保持部材２３の筒状部２５ａ（軸部）の外周には、円形歯車たるピニオン２９が回動可能に設けられている。図３、図４に示すように、ピニオン２９の歯幅つまり軸方向寸法Ｗは、第１取付部材２１及び第２取付部材２２を重ねた厚みと略同等の寸法に設定されている。ここで、保持部材２３における中央受け部２５ｂの前面には、筒状部２５ａの外縁部から放射状に延びる複数の小突条（小突起）からなる回り止め部３１ａが形成されている。また、筐体本体１４における取付け面１４ａの表面（ひょうめん）にも、筒状部１８の外縁部から放射状に延びる回り止め部３１ａと同様の回り止め部３１ｂが形成されている。
【００１９】
締結螺子３０は、所定方向へ回動操作されることで、保持部材２３の円板部２５と筐体本体１４の取付け面１４ａとの間で、第１取付部材２１、第２取付部材２２及びピニオン２９を押圧するようにして固定する。この場合、中央受け部２５ｂの回り止め部３１ａ及び取付け面１４ａの回り止め部３１ｂは、自身３１ａ，３１ｂの微小凹凸がピニオン２９に圧接することにより、当該ピニオン２９を確実に固定する。また、締結螺子３０は、前記所定方向とは逆方向へ回動操作されることで、第１取付部材２１、第２取付部材２２及びピニオン２９に対する締結状態を解除する。この締結状態の解除により、第１取付部材２１及び第２取付部材２２を、前記筒状部２５ａの周りにピニオン２９ごと回動させることができる。即ち、筒状部１８、筒状部２５ａ、ピニオン２９及び締結螺子３０は、第１取付部材２１及び第２取付部材２２を回動可能に支持するための回動支持手段３２に相当する。
【００２０】
尚、保持部材２３の張出部２６，２７は、前記取付け面１４ａを仮想四角形とした場合における対角線の方向に延びており、その先端部２６ｂ，２７ｂは、取付け面１４ａの角（かど）部に沿う山形状に形成されている。
【００２１】
前記第１取付部材２１及び第２取付部材２２は、例えば、何れも金属板製のもので、全体として矩形枠状に形成されている。
詳細には、第１取付部材２１には、その長手方向における一方の端部側に位置して当該長手方向へ延びる第１ガイド溝３３が設けられている。第１ガイド溝３３は、ピニオン２９が収まる寸法形状をなし、矩形状に切欠くようにして形成されている。この第１取付部材２１には、第１ガイド溝３３の一方の長辺に沿ってピニオン２９に噛合する第１ラック３３ａが形成されている。そして、第１取付部材２１は、第１ガイド溝３３にてピニオン２９と係合することにより、取付部材２１の長手方向にガイドされる。換言すれば、第１取付部材２１は、正面視にてピニオン２９の中心軸線Ｏを中心とした放射方向（図４中、矢印ｒで示す所定のスライド方向）への移動が可能とされる。また、第１取付部材２１の外縁部における一方の長辺側には、第１ガイド溝３３に沿うガイド片２１ａが設けられている。ガイド片２１ａは、後方へ折り曲げられており、第２取付部材２２を前記スライド方向にガイドする。第１取付部材２１の長手方向における他方の端部（つまり先端部２１ｂ）寄りの部位には、クランク状の折曲げ部２１ｃが形成されている。この折曲げ部２１ｃは、第１取付部材２１の先端部２１ｂが、被取付け側の壁面９に密接するよう後方側へ屈曲形成されている。第１取付部材２１の先端部２１ｂは山形状に形成されており、その先端中央部には、取付け穴２１ｄが形成されている。第１取付部材２１は、取付け穴２１ｄに挿通される固定具（例えば図５に示す固定螺子２４）によって、壁面９に対して固定される。尚、図５は、図４とは異なる方向からの斜視図を示している。
【００２２】
第２取付部材２２は、第１取付部材２１と同様に、基端側に第２ガイド溝３５が設けられている。第２ガイド溝３５は、ピニオン２９を収容可能な矩形状をなし、その一方の長辺部分に、ピニオン２９に噛合する第２ラック３５ａが形成されている。これにより、第２取付部材２２は、第２ガイド溝３５にてピニオン２９と係合することにより、その長手方向にガイドされる。第２取付部材２２には、前方への折り曲げ加工によるガイド片２２ａが設けられている。従って、第１取付部材２１及び第２取付部材２２は、ガイド片２１ａ，２２ａによって、相互に長手方向へガイドするようになっている。また、第２取付部材２２の先端部２２ｂ寄りの部位には、クランク状の折曲げ部２２ｃが形成されており、その折曲げ部２２ｃによって、当該先端部２２ｂが前記壁面９に密接するように位置する。第２取付部材２２の先端部２２ｂは、第１取付部材２１と同様に山形状をなし、その先端中央部に、固定螺子２４用の取付け穴２２ｄが形成されている。
【００２３】
上記第１ガイド溝３３及び第１ラック３３ａと、第２ガイド溝３５及び第２ラック３５ａは、ガイド手段３４に相当し、回動支持手段３２との係合によって第１取付部材２１及び第２取付部材２２を前記のスライド方向へガイドする。また、上記第１取付部材２１、第２取付部材２２、保持部材２３、ピニオン２９、螺子２８、締結螺子３０等は取付機構２０（取付装置）を構成し、以下のようにして組付けられる。
【００２４】
即ち、保持部材２３の筒状部２５ａの外周に、ピニオン２９が配置されると共に、一対の取付部材２１，２２が互いに前後（図３では上下）に重ねられ、第１ラック３３ａと第２ラック３５ａとがピニオン２９を挟んで互いに対向するように配置される（図４参照）。そして、保持部材２３の筒状部２５ａに挿通された締結螺子３０が筐体本体１４の雌螺子部１８ａに螺挿されると共に、貫通穴部２６ａ，２７ａに挿通された螺子２８，２８が螺子穴１９，１９に螺挿されることにより、取付機構２０が筐体本体１４の取付け面１４ａに取付けられる。
【００２５】
続いて、本実施形態の作用について、旧型インバータ装置（図示せず）の新型への取換えを例に説明する。ここで、インバータ装置１０は、それまで使用していた旧型に比し小型化（ダウンサイジング）されている。この点、インバータ装置１０は、上記の如くその筐体本体１４に取付機構２０を備えた構成にあることから、前記壁面９における旧型インバータ装置用の螺子穴９ａ，９ａ（図５参照）を利用して、取付け作業を簡単に行うことができる。
【００２６】
具体的には、取付機構２０において、締結螺子３０を緩めることで、第１取付部材２１、第２取付部材２２及びピニオン２９に対する締結状態を解除しておく。ここで、ユーザは、旧型のインバータ装置を外して新型のインバータ装置１０を取付ける場合、壁面９の螺子穴９ａ，９ａと取付機構２０の取付け穴２１ｄ，２２ｄとが合致するように、第１取付部材２１及び第２取付部材２２の位置調整を行う。この位置調整の際、第１取付部材２１及び第２取付部材２２を、矢印θ方向（図１、図５参照）にピニオン２９ごと回動させることができる。このとき、ピニオン２９の内周面２９ａは筒状部１８の外周面と摺接するため、円滑な回動操作を行うことができる。また、第１取付部材２１を矢印ｒ方向にスライドさせて、中心軸線Ｏから取付け穴２１ｄまでの距離ｌ（図５参照）を、螺子穴９ａに適合するように調整することができる。この場合、一対の取付部材２１，２２は、第１ラック３３ａと第２ラック３５ａとがピニオン２９を挟んで互いに対向するように配置されているため、第１取付部材２１の動きを、ピニオン２９を介して反対方向の動きとして第２取付部材２２に伝達することができる。また、実際には、一方の取付部材（例えば第１取付部材２１）を把持する等して、取付け穴２１ｄと螺子穴９ａとが合致するように移動させるとき、一対の取付部材２１，２２は、所定の２方向（矢印θ方向、矢印ｒ方向）に同時に移動する。こうして、第１取付部材２１及び第２取付部材２２について位置調整を行った後、締結螺子３０によって、保持部材２３と筐体本体１４の取付け面１４ａとの間で、第１取付部材２１、第２取付部材２２及びピニオン２９を押圧するようにして固定する。そして、インバータ装置１０は、これら取付部材２１，２２の取付け穴２１ｄ，２２ｄに夫々挿通された固定螺子２４，２４が、螺子穴９ａ，９ａに螺挿されることにより、被取付け側の壁面９に取付け固定される。
【００２７】
尚、上記と異なり、インバータ装置１０を増設する場合（つまり旧型のインバータ装置の取外しを伴わない場合）、例えば図１に実線で示す位置で第１取付部材２１及び第２取付部材２２を固定する。この場合、筐体本体１４の窪み部１４ｂ，１４ｃから当該取付部材２１，２２の取付け穴２１ｄ，２２ｄが覗く状態となり、これら取付部材２１，２２はインバータ装置１０に対してコンパクトに配置されることとなる。また、前記壁面９の構造上或は周辺機器との関係で、取付け穴２１ｄ，２２ｄ用の螺子穴を所望の位置に形成できないケースも想定される。このような場合であっても、壁面９の構造等に応じて取付部材２１，２２の位置調整を行うことで（図１の破線参照）、壁面９への取付けを可能とし、インバータ装置１０の取付け作業の簡単化を図ることができる。
【００２８】
以上説明したように、インバータ装置１０の取付機構２０において、第１取付部材２１及び第２取付部材２２は、前記回動支持手段３２の周り（つまり中心軸線Ｏの周り）のθ方向と前記スライド方向とに移動されることにより、取付け面１４ａ側における一平面内での位置調整が可能に構成されている。
【００２９】
これによれば、第１取付部材２１及び第２取付部材２２を、一平面内でθ方向とｒ方向とに移動させて所望の取付けピッチに容易に調整することができ、インバータ装置１０の取付け作業の簡単化を図ることができる。特に、旧型インバータ装置を新型に取換える場合、旧型で用いられた螺子穴９ａ等に合致するように、取付けピッチを調整することで、新たな螺子穴の加工や、取付け用の別部材を省略することができ、作業性を向上させることができる。また、ガイド手段３４は、回動支持手段３２との係合により、第１取付部材２１及び第２取付部材２２をガイドすることから、比較的簡単な構成とすることができる。
【００３０】
回動支持手段３２を、筐体本体１４の取付け面１４ａ側の中央部に設け、第１取付部材２１の端部２１ｂ及び第２取付部材２２の端部２２ｂに、固定具用の取付け穴２１ｄ、２２ｄを形成した。このため、筐体本体１４を、取付部材２１，２２を介して前記壁面９に安定的に固定することができる。また、取付部材２１，２２の寸法（或はスライド長）を相等しく設定することができると共に、取付部材２１，２２の大型化（長尺化）を抑制することができる。
【００３１】
一対の取付部材２１，２２を、第１ラック３３ａと第２ラック３５ａとがピニオン２９を挟んで互いに対向するように配置し、第１取付部材２１の動きを、ピニオン２９を介して反対方向の動きとして第２取付部材２２に伝達するように構成した。これによれば、取付部材２１，２２の位置調整の際、取付部材２１，２２を対称的且つ同時に移動させることができる。従って、取付部材２１，２２の位置を夫々調整する必要がなく、作業性を一層向上させることができる。
【００３２】
一対の取付部材２１，２２は何れも板状をなし、ガイド手段３４は、第１取付部材２１に形成された第１ガイド溝３３と第２取付部材２２に形成された第２ガイド溝３５とを有し、第１ガイド溝３３に沿って第１ラック３３ａが形成される共に第２ガイド溝３５に沿って第２ラック３５ａが形成されている。これによれば、取付部材２１，２２をよりコンパクトで簡単な構成とすることができる。従って、インバータ装置１０は、取付け面１４ａ側において取付機構２０が嵩張ることがなく、実用上において好適なものとすることができる。
【００３３】
＜第２実施形態＞
図６は、第２実施形態を示すものであり、既述の部分と同一部分には同一符号を付す等して説明を省略し、以下異なる点につき説明する。
【００３４】
筐体本体１４の取付け面１４ａ´側には、回り止め部３１ｂ近傍を、筒状部１８の軸方向寸法のぶんだけ前方へ窪ませた凹部４０が形成されている。また、筐体本体１４の窪み部１４ｂ，１４ｃには、一対の取付片部４１ｂ，４１ｃが取付け面１４ａ´の角部をなすように設けられている。取付片部４１ｂ，４１ｃには、前記固定螺子２４が挿通される取付け穴４２が夫々形成されている。これにより、本第２実施形態のインバータ装置１０は、取付け面１４ａ´が面一とされ、各取付け穴４２に挿通される固定螺子２４により壁面９に対して直接固定することが可能である。
【００３５】
一方、ピニオン２９´は、その歯幅Ｗ´が凹部４０の窪み量に対応して大きく設定されている（Ｗ´＞Ｗ）。このため、ピニオン２９´は、その前半部が凹部４０に収容され、且つ後半部が第１ラック３３ａと第２ラック３５ａに噛合する。
【００３６】
以上のように、本第２実施形態のインバータ装置１０は、壁面９に対して直接的に（つまり取付機構２０を筐体本体１４へ組付けることなく）取付片部４１ｂ，４１ｃにて螺子止めすることができる。また、上記構成において、取付機構２０を利用することで、インバータ装置１０の取付けを簡単に行うことができる等、第１実施形態と同様の効果を奏する。
【００３７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【００３８】
取付機構において、取付部材の数は複数であればよく、取付部材２１，２２とは別個に、更に一対の取付部材を備えた構成としてもよい。また、取付部材２１，２２の形状等も適宜変更することができる。固定具は、固定螺子２４に限定するものではなく、取付け穴２２ｄに挿通可能なピン状の係止手段等、各種の固定具を採用することができる。
インバータ装置１０が取付けられる被取付け側は、制御盤の壁面９に限らず、外部機器の取付け部位等、各種の壁面をその対象とすることができる。
【符号の説明】
【００３９】
図面中、１０はインバータ装置、１３は筐体、１４ａは取付け面、１８，２５ａは軸部、２０は取付機構、２１は第１取付部材、２２は第２取付部材、２１ｂ、２２ｂは端部、２４は固定具、２９はピニオン、３２は回動支持手段、３３は第１ガイド溝、３３ａは第１ラック、３４はガイド手段、３５は第２ガイド溝、３５ａは第２ラックを示す。
【図１】
0005632231.tif 000002
【図２】
0005632231.tif 000003
【図３】
0005632231.tif 000004
【図４】
0005632231.tif 000005
【図５】
0005632231.tif 000006
【図６】
0005632231.tif 000007
【図７】
0005632231.tif 000008